(57)【要約】【課題】  トナー状態では目視で観察できない任意絵柄へ、レリーフホログラムを転写することにより、目視で観察できるようになる潜像効果を有するトナー印刷物を提供する。【解決手段】  基材と、該基材の少なくとも一方の面へ、ベタ状のベタトナー部と、該ベタ状のベタトナー部面へベタトナー部と同色で任意絵柄のトナー印刷部とからなる目視で観察できないトナー潜像画像を形成し、前記トナー印刷部へ該トナー印刷部の任意絵柄よりも大きいサイズのレリーフホログラムを選択的に転写することで、前記トナー潜像画像が目視で観察できるトナー顕像画像になることを特徴とする。【選択図】  図４
2014059418.tif 000002
【特許請求の範囲】
【請求項１】
目視で観察できるようになる潜像効果を有するトナー印刷物であって、基材と、該基材の少なくとも一方の面へ、ベタ状のベタトナー部と、該ベタ状のベタトナー部面へベタトナー部と同色で任意絵柄のトナー印刷部とからなる目視で観察できないトナー潜像画像を形成し、前記トナー印刷部へ該トナー印刷部の任意絵柄よりも大きいサイズのレリーフホログラムを選択的に転写することで、前記トナー潜像画像が目視で観察できるトナー顕像画像になることを特徴とするトナー印刷物。
【発明の詳細な説明】
【技術分野】
【０００１】
本発明は、トナー印刷物に関し、さらに詳しくは、目視で観察できるようになる潜像効果を有するトナー印刷物に関するものである。
【０００２】
本明細書において、配合を示す「比」、「部」、「％」などは特に断わらない限り質量基準であり、「／」印は一体的に積層されていることを示す。また、「ベタ状のベタトナー部面へベタトナー部と同色の任意絵柄のトナー印刷部」は目視では観察することができないので「トナー潜像画像」と呼称し、目視で観察できるようになった「トナー顕像画像」を「トナー顕像画像」と呼称し、「ＰＥＴ」は「ポリエチレンテレフタレート」、「ＵＶ」は「紫外線」の略語、機能的表現、通称、又は業界用語である。
【背景技術】
【０００３】
（背景技術）ホログラム転写箔のヒートシール剤にトナー印刷部にだけ選択的に接着するものを使用すると、紙やフィルムなどの基材へ同色のベタトナー部及び任意絵柄のトナー印刷部を二重印刷(二重以上でも可)しても、同色であれば一体化して目視では観察することができないし、当然、真贋判定やコピー牽制効果もない。
【０００４】
（従来技術）従来、反射型レリーフホログラムの転写箔を用いて被転写基体表面の任意の選択パターン上に反射型レリーフホログラムを選択的に転写する方法において、被転写基体表面若しくは転写箔の反射層又は保護樹脂層表面の選択的パターン領域に接着剤（特許文献２の請求項６でのトナーが本願発明の接着層に相当する）を選択的に塗布し、転写箔の反射層又は保護樹脂層を被転写基体表面に向けて重ね合わせ、接着後にベースフィルムを剥離することにより、接着剤塗布領域においてのみ選択的に反射型レリーフホログラムを転写することを特徴とする反射型レリーフホログラムの選択的転写方法を開示している（例えば、特許文献１参照。）。また、本出願人は（特願２０１１−２７３３３０号）で、紙表面へオンデマンドによって印画された任意絵柄のトナー印刷部に、前記任意絵柄よりも大きいサイズのレリーフホログラム転写箔を用いて、該レリーフホログラムを選択的に転写するオンデマンドによる可変形状ホログラムの製造方法を開示している。しかしながら、いずれも潜像効果はない。
【先行技術文献】
【特許文献】
【０００５】
【特許文献１】特開平４−２４７４８６号公報
【発明の概要】
【発明が解決しようとする課題】
【０００６】
そこで、本発明は上記のような問題点を解消するために、本発明者らは鋭意研究を進め、本発明の完成に至ったものである。その目的は、トナー状態では目視では観察できない任意絵柄であるトナー潜像画像へ、レリーフホログラムを転写することにより、目視で観察できるようになる潜像効果を発現させ、該発現した任意絵柄のトナー顕像画像による真贋判定やコピー牽制効果のあるトナー印刷物を提供することである。
【課題を解決するための手段】
【０００７】
上記の課題を解決するために、本発明の請求項１の発明に係わるトナー印刷物は、目視で観察できるようになる潜像効果を有するトナー印刷物であって、基材と、該基材の少なくとも一方の面へ、ベタ状のベタトナー部と、該ベタ状のベタトナー部面へベタトナー部と同色で任意絵柄のトナー印刷部とからなる目視で観察できないトナー潜像画像を形成し、前記トナー印刷部へ該トナー印刷部の任意絵柄よりも大きいサイズのレリーフホログラムを選択的に転写することで、前記トナー潜像画像が目視で観察できるトナー顕像画像になることを特徴とするトナー印刷物である。
【発明の効果】
【０００８】
請求項１の本発明によれば、「ベタ状のベタトナー部面へ、ベタトナー部と同色で任意絵柄のトナー印刷部」からなる「トナー潜像画像」は目視では観察することができないが、レリーフホログラムを転写することで、「トナー顕像画像」となって目視で観察できるようになる潜像効果が発現する。該発現した任意の絵柄は真贋判定や、コピー牽制効果を奏する。
【図面の簡単な説明】
【０００９】
【図１】本発明に用いるレリーフホログラム転写箔の断面図である。
【図２】本発明のトナー印刷物及びレリーフホログラム転写箔の断面図である。
【図３】転写を説明する説明図である。
【図４】転写済みのトナー印刷物で、顕像化を説明するための断面図である。
【発明を実施するための形態】
【００１０】
以下、本発明の実施形態について、図面を参照しながら、詳細に説明する。
【００１１】
（トナー印刷物）本発明のトナー印刷物３０は、ある操作によって目視で観察できるようになる潜像効果を有するトナー印刷物３０であって、図２（Ｂ）に示すように、基材１１と、該基材１１の少なくとも一方の面へ、ベタ状のベタトナー部３３と、該ベタ状のベタトナー部３３面へベタトナー部と同色で任意絵柄のトナー印刷部３５とからなる目視で観察できないトナー潜像画像を形成し、前記トナー印刷部３５へ図１に示すような、レリーフホログラム転写箔１０を用いて、トナー印刷部３５の任意絵柄よりも大きいサイズのレリーフホログラムを含む転写層２０を選択的に転写することで、前記トナー潜像画像が目視で観察できるトナー顕像画像になることを特徴とする。
【００１２】
（製造方法）製造方法の工程順に、材料も含めて説明する。
【００１３】
本発明のトナー印刷物は、目視で観察できるようになる潜像効果を有するトナー印刷物であって、例えば、次のような工程で製造することができる。（１）基材と、該基材の少なくとも一方の面に、トナーを用いた電子写真法で、ベタ状のベタトナー部と該ベタ状のベタトナー部面へベタトナー部と同色で任意絵柄のトナー印刷部とを印画する電子写真工程、（２）転写基材と、該転写基材へ、剥離層、レリーフホログラム層、反射層、並びに前記ベタトナー部及びトナー印刷部には接着し、かつ前記基材には接着しない接着層からなるレリーフホログラム転写箔の作製工程、（３）前記トナー印刷物のトナー印刷部へ、前記レリーフホログラム転写箔の前記接着層とを重ねて加熱加圧した後に、前記転写基材を剥離し除去して、前記トナー印刷部より大きいレリーフホログラムを転写する転写工程、とからなる。
【００１４】
このようにすることで、ベタトナー部３３とトナー印刷部３５との段差で、転写層２０に含まれている反射層１７の光の反射方向が変化することで、トナー印刷部３５の任意絵柄が目視で観察できるトナー顕像画像となる。即ち、トナー潜像画像は、ベタ状のベタトナー部と、該ベタトナー部と同色の任意絵柄のトナー印刷部とからなっているので、同色同士が重なって、目視では観察が容易にできないトナー潜像画像となっている。しかしながら、レリーフホログラムが転写されると、転写層２０に含まれている反射層１７の光の反射方向が変化することで、トナー印刷部３５の任意絵柄の輪郭が目立つトナー顕像画像となって、目視で観察できるようになる。
【００１５】
（第一工程）（１）基材と、該基材の少なくとも一方の面に、トナーを用いた電子写真法で、ベタ状のベタトナー部と該ベタ状のベタトナー部面へベタトナー部と同色で任意絵柄のトナー印刷部とを印画する電子写真工程である。
【００１６】
（第二工程）（２）転写基材１１と、該転写基材１１へ、剥離層１３、必要に応じて保護層１４、レリーフホログラム層１５、反射層１７、並びにベタトナー部３３及びトナー印刷部３５には接着し、かつ基材３１には接着しない接着層１９からなるレリーフホログラム転写箔１０の作製工程である。レリーフホログラム転写箔１０の断面図を図１に示す。
【００１７】
（転写基材）転写基材１１としては、特に限定されるものではないが、例えば、ポリエチレンテレフタレート、ポリブチレンテレフタレート、ポリエチレンナフタレート、ポリエチレンテレフタレート−イソフタレート共重合体などのポリエステル系樹脂、ポリアミド系樹脂、ポリメチルペンテン、ポリノルボネンなどの環状ポリオレフィン系樹脂、ポリカ−ボネ−ト系樹脂、などがあり、これら樹脂を主成分とする共重合樹脂、または、混合体（アロイでを含む）、若しくは複数層からなる積層体であっても良い。好ましい転写基材１１としては、機械的強度を向上させる目的で、フィルムの厚さとしては、通常６μｍ〜１００μｍ程度、好ましくは１２〜５０μｍ程度の二軸延伸ポリエチレンテレフタレートフィルムが機械的強度や転写適性の点で最適である。
【００１８】
（剥離層）剥離層１３としては、特に限定されるものではないが、例えば、離型性樹脂、離型剤を含んだ樹脂、電離放射線で架橋する硬化性樹脂などが適用できる。離型性樹脂は、例えば、弗素系樹脂、シリコーン、メラミン系樹脂、エポキシ樹脂、ポリエステル樹脂、アクリル系樹脂、繊維素系樹脂などである。離型剤を含んだ樹脂は、例えば、弗素系樹脂、シリコーン、各種のワックスなどの離型剤を、添加または共重合させたアクリル系樹脂、ビニル系樹脂、ポリエステル樹脂、繊維素系樹脂などである。電離放射線で架橋する硬化性樹脂は、例えば、紫外線（ＵＶ）、電子線（ＥＢ）などの電離放射線で重合（硬化）する官能基を有するモノマー・オリゴマーなどを含有させた樹脂である。好ましくは、薄い層でも剥離性のよいメラミン系樹脂である。剥離層１３の形成は、該樹脂を溶媒へ分散又は溶解して、ロールコート、グラビアコートなどの印刷又はコーティング方法で塗布し乾燥して塗膜を形成したりすれば良い。また、要すれば、温度３０℃〜１２０℃で加熱乾燥、あるいはエージング、または電離放射線を照射して架橋させてもよい。剥離層１３の厚さとしては、通常は０．０１μｍ〜５．０μｍ程度、好ましくは０．５μｍ〜３．０μｍ程度である。該厚さは薄ければ薄い程良いが、０．１μｍ以上であればより良い成膜が得られて剥離力が安定する。
【００１９】
（保護層）必要に応じて、転写表面の耐久性を向上させるために、保護層を設けてもよく、該保護層としては、従来公知の熱可塑性樹脂、熱硬化性樹脂、反応型樹脂、電子線硬化型樹脂、紫外線硬化型樹脂やこれらの混合物が使用される。熱可塑性樹脂としては、例えば、アクリル系樹脂、ウレタン系樹脂、ポリアミド系樹脂、セルロース誘導体、ポリエステル系樹脂、ポリカーボネート樹脂などが例示できる。熱硬化性樹脂または反応型樹脂としては、例えば、熱又は硬化剤（架橋剤）で硬化させるポリウレタン系樹脂、ポリエステル系樹脂、メラミン系樹脂などが例示できる。また、各種の機能を持った化合物が添加剤として、分散剤、帯電防止剤、酸化防止剤、防黴剤、着色剤、溶剤等を適宜添加してもよい。
【００２０】
（レリーフホログラム層）レリーフホログラム層１５としては、無色または着色された透明または半透明なもので、単層であっても多層状であってもよく、凹凸を注型や型押しで再現できる熱可塑性樹脂、硬化性樹脂、あるいは、光回折パターン情報に応じて硬化部と未硬化部とを成形することができる感光性樹脂組成物が利用できる。具体的には、例えば、ポリ塩化ビニル、アクリル（ポリメチルメタクリレート）、ポリスチレン、またはポリカーボネート等の熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、またはトリアジン系アクリレート等の熱硬化性樹脂であり、それぞれの単独、熱可塑性樹脂どうし、または熱硬化性樹脂同志の混合、もしくは熱可塑性樹脂と熱硬化性樹脂の混合等であってもよい。ラジカル重合性不飽和基を有し、熱成形性を有するものや、ラジカル重合性不飽和モノマーを添加した電離放射線硬化性樹脂組成物も利用できる。レリーフホログラム層１５としては、電離放射線硬化樹脂を主成分とし、必要に応じてシリコーンやフィラーなどの添加物を含ませてもよい。好ましくは、レリーフホログラム層１５がウレタン変性アクリレート樹脂、（メタ）アクリレートオリゴマー、反応性シリコーン、ポリエチレンワックスを含む組成物の硬化層である。
【００２１】
該電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂を用い、好ましくはポリエチレンワックスを含ませて、塗布し乾燥して電離放射線で硬化させて、電離放射線硬化樹脂とすればよい。
【００２２】
（電離放射線硬化性樹脂）電離放射線硬化性樹脂としては、例えば、エポキシ変性アクリレート樹脂、ウレタン変性アクリレート樹脂、アクリル変性ポリエステル等が適用でき、好ましくはウレタン変性アクリレート樹脂である。好ましいウレタン変性アクリレート樹脂としては、「電離放射線硬化性樹脂組成物Ｍ」である。該「電離放射線硬化性樹脂組成物Ｍ」としては、ウレタン（メタ）アクリレートオリゴマーを含有する電離放射線硬化性樹脂（本明細書では電離放射線硬化性樹脂組成物Ｍと呼称する）は、ウレタン（メタ）アクリレートオリゴマーを含有する電離放射線硬化性樹脂の硬化物、具体的には、特開２００１−３２９０３１号公報で開示されている光硬化性樹脂などが例示できる。具体的には、ＭＨＸ４０５ニス（ザ・インクテック（株）製、電離放射線硬化性樹脂商品名）、ユピマーＵＶ・Ｖ３０３１（三菱化学（株）製、電離放射線硬化性樹脂商品名）が例示できる。即ち、「電離放射線硬化性樹脂組成物Ｍ」（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂と（メタ）アクリレートオリゴマーの硬化物、及び滑剤を含み、かつ、ホログラム層は（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂（本明細書では「電離放射線硬化性樹脂組成物Ｍ」と呼称する）である。また、必要に応じて、（メタ）アクリレートオリゴマーなどを含ませてもよい。
【００２３】
（（メタ）アクリレートオリゴマー）（メタ）アクリレートオリゴマーとしては、耐熱性のあるオリゴマーであればよく、例えば、日本合成化学社の商品名；紫光６６３０Ｂ、７５１０Ｂ、７６３０Ｂなどが例示できる。含有させる質量基準での割合としては、「電離放射線硬化性樹脂組成物Ｍ」１００部に対して１０〜３０部程度、好ましくは１５〜２５部である。この範囲未満では耐熱性が不足し、この範囲を超えては耐熱性はよいが、ヒビ割れしやすい。
【００２４】
（シリコーン）シリコーンとしてはシリコーンオイルや反応性シリコーンなどが例示できる。好ましくは反応性シリコーンで、電離放射線で硬化時に樹脂と反応し結合して一体化したり、１部は残留するものもある。該反応性シリコーンとしてはアクリル変性、メタクリル変性、又はエポキシ変性などで変性した反応性シリコーンで、該反応性シリコーンを含有させる質量基準での割合としては「電離放射線硬化性樹脂組成物Ｍ」１００に対して、０．１〜１０部程度、好ましくは０．３〜５部である。この範囲未満ではレリーフの賦型時にプレススタンパとの剥離が不十分であり、プレススタンパの汚染を防止することが困難で賦型性が悪い。また、この範囲を超えてはホログラム層面への反射層の密着性が低く、ホログラム層と反射層との間で剥離し商品価値を失ってしまう。従来のシリコーンオイルの添加では、反射層との密着性が悪い。
【００２５】
（フィラー）フィラーとしてはマイクロシリカやポリエチレンワックスが例示できる。ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化性樹脂１００質量部に対して、０．０１〜１０質量部程度、好ましくは０．１〜５質量部とする。
【００２６】
このように、レリーフホログラム層１５へ電離放射線硬化樹脂、シリコーン及びフィラーを含ませることで、次の作用効果を兼ねさせることができる。（１）電離放射線硬化前の塗布状態のレリーフホログラム層１５の塗膜は指乾状態でべとつかず、ブロッキングせずに巻き取ることができるので、ロールツーロール加工ができる。（２）レリーフホログラム層１５へは反応性シリコーンを含ませることで、賦型性がよいので、レリーフ構造を容易に賦型でき、賦型後に電離放射線で硬化できる。
【００２７】
（ホログラム層の形成）レリーフホログラム層１５の形成は、上記のウレタン変性アクリレート樹脂、（メタ）アクリレートオリゴマー、反応性シリコーン、ポリエチレンワックスを含ませ、さらに必要に応じて、光重合開始剤、可塑剤、安定剤、界面活性剤等を加え、溶媒へ分散または溶解して、ロールコート、グラビアコートなどの公知のコーティング方法で塗布し乾燥して、電離放射線で反応（硬化）させればよい。ホログラム層１５の厚さとしては、通常は１μｍ〜３０μｍ程度、好ましくは２μｍ〜２０μｍ程度である。複数回の塗布でもよい。
【００２８】
（ホログラム）次に、レリーフホログラム層１５の表面には、ホログラムなどの光回折効果の発現する所定のレリーフ構造を賦型し、硬化させる。レリーフホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。特に、レリーフホログラムを回折格子又は複数の回折格子の組合せからなるようにすることで、光が回折して虹模様を呈する。
【００２９】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子の単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００３０】
（レリーフの賦型）レリーフホログラム層１５面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
【００３１】
（レリーフの硬化）レリーフホログラム層１５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（レリーフホログラム層１５）となる。電離放射線としては、電磁波が有する量子エネルギーで区分する場合もあるが、本明細書では、すべての紫外線（ＵＶ−Ａ、ＵＶ−Ｂ、ＵＶ−Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。レリーフホログラム層１５として、熱硬化性樹脂を用いた場合には、使用する熱硬化性樹脂の硬化条件に応じた温湿度環境下で、エージングを行い硬化させればよい。なお、保護層１４に硬化性樹脂を用いた場合の硬化はレリーフホログラム層１５と同時でもよく、予め硬化させておいてもよい。
【００３２】
（レリーフの絵柄）レリーフホログラム層１５の絵柄を擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。大面積又は全面のホログラム絵柄を背景とし他の任意な印刷絵柄と、同調させたり、合わせたりして、さらなる特異な意匠性を向上させることができる。
【００３３】
（反射層）レリーフホログラム層１５のレリーフ面に反射層１７を設けることにより、その光学的な屈折率がホログラム形成層のそれとは異なることにより、レリーフホログラムの再生像および／または回折格子が明瞭に視認できるようになる。反射層１７としては、金属、またはレリーフホログラム層１５と屈折率に差のある透明金属化合物が適用できる。金属を用いると金属光沢ホログラムとなり、透明金属化合物を用いると透明ホログラムとなる。
【００３４】
金属としては、金属光沢を有し光を反射する金属元素の薄膜で、蒸着、スパッタリングにより得られるが、その他、メッキなどによっても形成できる。反射層１７の金属の薄膜としては、アルミニウム、クロム、ニッケル、金、銀などが例示できるが、蒸着のし易さ、コスト面からアルミニウムが好ましい。
【００３５】
レリーフホログラム層１５のレリーフ面に２００オングストローム、あるいはそれ以上の厚みになるよう、蒸着、スパッタリング、イオンプレーティングなどで設ける。
【００３６】
反射層１７として、レリーフホログラム層１５とは異なる屈折率を有するものを用いると、ほぼ無色透明な色相で、金属光沢が無いにもかかわらず、ホログラムが視認できるから、透明なホログラムを作製することができる。例えば、レリーフホログラム層１５よりも光の屈折率の高い薄膜、および光の屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。アルミニウム等の一般的な光反射性の金属薄膜も、厚みが２００Å以下になると、透明性が出てくるため、上記のようなレリーフホログラム層１５とは光の屈折率が異なる物質の透明な薄膜と同じ効果を発揮するので、使用できる。透明金属化合物の形成は、金属の薄膜と同様、レリーフ形状が賦形されて光回折構造（レリーフホログラム層１５）となった面へ、２００オングストローム、あるいはそれ以上の厚みになるよう、蒸着、スパッタリング、イオンプレーティングなどの真空薄膜法などにより設ける。好ましくは、既存の設備及び技術で形成できる点で、硫化亜鉛又は酸化チタンである。
【００３７】
（接着層）接着層１９としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂、ポリオレフィン系樹脂などが挙げられるが、本発明の接着層１９としては、接着層１９が基材３１の非印刷部には非接着で、ベタトナー部３３やトナー印刷部３５には接着する点から、ポリオレフィン系樹脂が好ましく、特に好ましくは変性ポリオレフィン系樹脂で、例えば和信化学工業（株）製のプラスコートＯＰ−２クリヤー、プラスコートＯＰ−１６クリヤーなどが例示できる。これらの樹脂を溶剤に溶解または分散させて、適宜顔料などの添加剤を添加して、公知のロールコーティング、グラビアコーティングなどの方法で塗布し乾燥させて、厚さ０．１μｍから３０μｍの層を得る。
【００３８】
（第三工程）（３）トナー印刷物３０のトナー印刷部３５へ、レリーフホログラム転写箔１０の接着層１９とを重ねて加熱加圧した後に、転写基材１１を剥離し除去して、トナー印刷部３５より大きいレリーフホログラムを転写する転写工程である。
【００３９】
（転写）基材３１の表面のトナー印刷部３５と、レリーフホログラム転写箔１０の接着層１９とを重ねて、全面又はトナー印刷部３５より大きい面積を加熱加圧する。その後に、転写基材１１を剥離し除去すると、トナー印刷部３５及びベタトナー部３３へ、接着層１９、反射層１７、レリーフホログラム層１５及び剥離層１３が転写される。
【００４０】
該加熱加圧は短時間で行えるように、転写時に上昇する接着層の実温度としては１００℃以下程度、好ましくは８５℃以下が好ましく、時間としては加熱加圧されている実際の転写時間としては０．５〜３．０秒程度、好ましくは１．０〜２．０秒にて行なえることが好ましい。しかしながら、実際の転写はラミネーターを用い連続走行によって基材３１へ温度が奪われたり、昇温のタイムラグがあるので、転写ロール温度１４０〜１８０℃、転写速度１．０〜２．０ｍ／ｍｉｎ程度で行われる。
【００４１】
図２は、レリーフホログラム転写箔１０の接着層１９とトナー印刷物３０のトナー印刷部３５とが相対した状態で、全面又はトナー印刷部３５より大きい面積を加熱加圧すればよい。その後に、転写基材１１を剥離し除去すると、トナー印刷部３５及びベタトナー部３３へ、接着層１９、反射層１７、レリーフホログラム層１５及び剥離層１３が転写されて、図３の状態となる。
【００４２】
図４は、トナー印刷物３０の少なくともトナー印刷部３５へ、レリーフホログラム層１５、反射層１７及び接着層１９からなる転写層２０が転写された状態である。トナー印刷部３５はベタトナー部３３の上面へ印画されているので、ベタトナー部３３を一階部分とすると、トナー印刷部３５は二階部分となって、どうしても段差が生じてしまう。この段差は僅かな段差ではあるが、図４のように、転写された転写層２０も僅かな段差ができて、該転写層２０に含まれる反射層１７にも僅かな段差が生ずる。この反射層１７の僅かな段差でも光の反射方向が変わり、トナー印刷部３５の絵柄が顕像化して、目視で観察できるようになるのである。反射層１７としては、接する層の屈折率と差があればよく、金属反射層でも透明反射層でもよい。
【００４３】
このようにトナー印刷物３０はトナー状態では目視では観察できないトナー潜像画像であるが、レリーフホログラムが転写されることにより、顕像化して目視でも観察できるようになる。即ち、隠し文字や番号を潜像化しておき、後にレリーフホログラムを転写してトナー印刷部３５の隠し絵柄を目視することで真贋判定をすることができる。また、レリーフホログラムが転写されたトナー印刷部３５の絵柄は、ホログラムによるコピー牽制効果も得られる。
【産業上の利用可能性】
【００４４】
本発明は、隠し情報を必要とする用途、例えば、重要書類、貴重品の保証書などに利用することができる。しかしながら、レリーフホログラムを転写することで、隠し文字などの固有情報を目視可能にすることのできる用途であれば、特に限定されるものではない。
【符号の説明】
【００４５】
１０：レリーフホログラム転写箔
１１：転写基材
１３：剥離層
１５：レリーフホログラム層
１７：反射層
１９：接着層
２０：転写層
３０：トナー印刷物
３１：基材
３３：ベタトナー部
３５：トナー印刷部
【図１】
2014059418.tif 000003
【図２】
2014059418.tif 000004
【図３】
2014059418.tif 000005
【図４】
2014059418.tif 000006